(57)【特許請求の範囲】
【請求項１】
ストレートな繊条主体部２に適宜な間隔で突状節部３を一体的に設けた繊条体１を形成し、その繊条体１を並列又は積層して突状節部３により隣接する繊条主体部２どうしの間に微小な間隙４を形成した状態で支持部材５に取り付けたことを特徴とする濾過用フィルタ。
【請求項２】
繊条体１における繊条主体部２の太さを０．００３〜０．０５ｍｍに設定し、又、突状節部３の外径を繊条主体部２の太さの１．０３〜１．５０倍に設定するとともに、突状節部３の間隔を繊条主体部２の太さの５〜１００倍に設定した請求項１記載の濾過用フィルタ。
【発明の詳細な説明】
【０００１】
【発明の属する技術分野】
本発明は、液体や気体を清浄にするための濾過用フィルタに関する。
【０００２】
【従来の技術】
従来の濾過用フィルタには様々な構造のものがあり、使用されている素材も様々である。しかしながら、一般的に、濾過用フィルタは構造が複雑化して製造が面倒になる傾向があり、コストアップを招いている。特に、濾過用フィルタには固形物の通過を阻止して、液体や気体等のみを通過させる間隙を設ける必要があり、この間隙のサイズは濾過の対象とする液体や気体の種類によって異なり、又、使用目的によっても異なるが、その間隙を任意のサイズに形成することが困難であった。
【０００３】
【発明が解決しようとする課題】
そこで本発明は、構造がシンプルで製造が容易であり、特に、液体や気体を通過させる間隙を使用目的等に応じて容易に任意のサイズに形成することができる濾過用フィルタの提供を課題とする。
【０００４】
【課題を解決するための手段】
上記課題を解決するために、本発明の濾過用フィルタは、ストレートな繊条主体部２に適宜な間隔で突状節部３を一体的に設けた繊条体１を形成し、その繊条体１を並列又は積層して突状節部３により隣接する繊条主体部２どうしの間に微小な間隙４を形成した状態で支持部材５に取り付けたことを特徴とする、という構成にしたものである。
【０００５】
なお、上記の本発明の濾過用フィルタは、繊条体１における繊条主体部２の太さを０．００３〜０．０５ｍｍに設定し、又、突状節部３の外径を繊条主体部２の太さの１．０３〜１．５０倍に設定するとともに、突状節部３の間隔を繊条主体部２の太さの５〜１００倍に設定することが効果的である。
【０００６】
【発明の実施の形態】
以下、図を用いて本発明の実施の形態について説明する。まず、図１は１本の繊条体１を示したものである。この繊条体１はストレートな繊条主体部２と、その繊条主体部２に適宜な間隔で一体的に形成した突状節部３とを有している。この突状節部３の形状は自由であり、例えば瘤状や玉状などにすることができる。
【０００７】
この繊条体１の素材としては、ポリプロピレン等の合成樹脂や、金属その他の無機質素材を使用可能であり、使用条件や使用目的に応じて適宜選定可能である。
【０００８】
繊条体１における繊条主体部２の太さ、すなわち線径は最大０．５ｍｍとする。この値より太くすると突状節部３により繊条主体部２どうしの間にできる間隙４が広くなり過ぎて微小な固形物を捕捉できなくなり濾過性能が低下するからである。より好ましい線径は０.００３ｍｍ〜０．０５ｍｍである。この太さの極細の繊条体１は、突状節部３を設けた場合にできる間隙４が広すぎず狭すぎず、微小な固形物も捕捉できて十分な濾過性能を保つことができ、かつ、目詰まりが起こりにくく濾過能率が低下する虞がないからである。
【０００９】
繊条体１における突状節部３の形成方法は自由である。例えば、素材が変形容易な金属などの場合は、打撃、衝撃等の圧力により繊条主体部２の一部を変形させて突状節部３を形成する方法が可能である。また、素材が溶融可能な金属や合成樹脂などの場合は、放電したり、熱線やレーザ光線等をスポット照射することにより繊条主体部２の一部を溶融して突状節部３を形成する方法が可能である。また、素材が合成樹脂の場合は、その合成樹脂に粒子を混合して押出成形することによりその粒子を突状節部３とする方法が可能である。また、繊条主体部２に粒子を噴霧して付着させることによりその粒子を突状節部３とする方法も可能である。
【００１０】
突状節部３のサイズ（外径）は、繊条主体部２の太さ（線径）の１．０３〜１．５０倍程度が好ましい。これより大きくすると、繊条主体部２どうしの間にできる間隙４が広くなりすぎて微細な固形物を捕捉できなくなり濾過性能が低下する虞があり、逆にこれより小さくすると、間隙４が狭すぎて目詰まりが起こりやすくなり濾過能率が低下する虞がある。
【００１１】
また、突状節部３の間隔は、繊条主体部２の太さ（線径）の５〜１００倍程度が好ましい。これより間隔を大きくすると、その中間部において隣接する繊条主体部２どうしが接触しやすくなって間隙４を維持しにくくなる虞があり、逆に、間隔をこれより小さくすると突状節部３の数が多くなり過ぎて隣接する繊条体１どうしの突状節部３が干渉して、すなわち突状節部３どうしが接触して、間隙４が広くなり過ぎる虞がある。
【００１２】
上記の繊条体１は、図２に示すように並列したり積層することにより膜状又は板状にして支持部材５に取り付ける。この支持部材５の形状や構造は自由である。また、繊条体１を並列又は積層状態で支持部材５に取り付ける方法も自由である。
【００１３】
例えば、図３及び図４に示すように、リング状の横桟６と縦桟７を組み合わせて円筒形等のカゴ状の支持部材５を形成し、その支持部材５の周囲に１本の連続した繊条体１を巻き付けて積層状態にすることにより円筒状等のフィルタ８にすることが可能である。このような構成にすれば、例えば、同じ長さの繊条体１を多数本備えて、その多数本の繊条体１を並列又は積層させて、それらの両端を枠などに止着した構成に比べて、繊条体１を切断する必要がなく、繊条体１の両端を枠などに止着する必要がないので、製造が容易で、かつ、立体的なものを容易に製造できるというメリットがある。
【００１４】
また、図５に示すように、多数本の繊条体１を縦方向に並列するとともに、その並列させた繊条体１の縦方向における複数個所に一定間隔で横向きの支持部材５を配置して、その支持部材５と繊条体１との交点を溶着又は接着等の方法により接合してスダレ状のフィルタ９とすることも可能である。なお、支持部材５には繊条体１と同様の繊条体を使用することができるが、他の素材を用いることも勿論可能である。
【００１５】
このスダレ状のフィルタ９は、例えば図６に示すように、複数枚を積層してその両面を格子状のホルダ１０により挟持し、汚水１４を濾過する浄化槽などの内部に設置する濾過装置のケース１１に、その開口部を覆うように取り付けて使用することができる。なお、フィルタ９を通過してケース１１の内部空間に入った濾過液１２はケース１１に接続したパイプ１３から浄化槽の外部へ排出可能とし、また、ケース１１の内部空間に溜まった濾過液１２の水位を検知するセンサ（図示せず）を設置して、濾過液１２の水位が所定位置まで下がったときに、パイプ１３に取り付けたバルブ（図示せず）を切り替えて濾過液１２を逆流させることによりフィルタ９を逆洗浄してフィルタ９の目詰まりを解消できるようにすることも可能である。
【００１６】
上記のように繊条体１を並列又は積層すると、繊条主体部２が平行に並んだ状態になるが、突状節部３が存在するので、その突状節部３がスペーサの役目を果たすことになり、隣接する繊条体１の繊条主体部２どうしが互いに密着せず、その突状節部３の突出高さだけ各繊条体１は離間して、間に間隙４が生じることになる。
【００１７】
したがつて、この間隙４のサイズは、突状節部３のサイズ（外径）を変えることにより任意に加減することができる。
【００１８】
【発明の効果】
本発明の濾過用フィルタは、繊条体１を並列又は積層して支持部材５に取り付けるだけなので構造がシンプルで製造が容易である。
また、繊条体１は、ストレートな繊条主体部２に適宜な間隔で突状節部３を一体的に設けた構造なので、繊条体１を並列又は積層したときに、突状節部３により各繊条体１は離間して、その間に確実に間隙４が形成されることになるので、目詰まりが起こりにくい。
また、間隙４のサイズは濾過の対象とする液体や気体の種類により、又、使用目的により異ならせる必要があるが、突状節部３のサイズを変えることにより容易に濾過の対象物や使用目的に最適なサイズの間隙４にすることができる。
また、請求項２に記載したように、繊条体１の太さを０．００３〜０．０５ｍｍに設定するとともに、突状節部３の外径を繊条主体部２の太さの１．０３〜１．５０倍に設定すれば、隣接する繊条主体部２どうしの間にできる間隙４が広すぎず且つ狭すぎない状態になって、微小な固形物も捕捉できて十分な濾過性能を保つことができるとともに、目詰まりも起こりにくくなって濾過能率の低下を回避することができる。また、突状節部３の間隔を繊条主体部２の太さの５〜１００倍に設定することにより、突状節部３と突状節部３との中間部において隣接する繊条主体部２どうしを接触しにくくして間隙４を維持しやすくするとともに、突状節部３の数を抑えて隣接する繊条体１どうしの突状節部３が干渉しないようにし、すなわち突状節部３どうしが接触しないようにして、間隙４が広くなり過ぎるのを防止することができる。
【図面の簡単な説明】
【図１】１本の繊条体の正面図である。
【図２】繊条体を並列させた状態の正面図である。
【図３】１本の連続した繊条体を支持部材に捲き付けて円筒状のフィルタとした状態の斜視図である。
【図４】図３のＡ−Ａ線における断面図である。
【図５】多数本の繊条体を並列させてスダレ状のフィルタとした状態の斜視図である。
【図６】スダレ状のフィルタを複数枚積層して濾過装置のケースに取り付けた状態の断面図である。
【符号の説明】
１  繊条体
２  繊条主体部
３  突状節部
４  間隙
５  支持部材
６  横桟
７  縦桟
８  フィルタ
９  フィルタ
１０  ホルダ
１１  ケース
１２  濾過液
１３  パイプ
１４  汚水
【図１】
0003694704.tif 000002
【図２】
0003694704.tif 000003
【図３】
0003694704.tif 000004
【図４】
0003694704.tif 000005
【図５】
0003694704.tif 000006
【図６】
0003694704.tif 000007